(57)【要約】【課題】厚みを増すことなく、表示品位の低下を防止することを目的とする。【解決手段】液晶表示装置は、液晶を挟むための上ガラス基板１２及び下ガラス基板１４を有する液晶表示パネル１０と、液晶表示パネル１０に対して下ガラス基板１４側から面状に光を発するバックライト２２と、を有し、上ガラス基板１２及び下ガラス基板１４のそれぞれは、バックライト２２とは反対側を向く上面３４ｕ，３４ｄと、バックライト２２を向く下面３６ｕ，３６ｄと、上面３４ｕ，３４ｄ及び下面３６ｕ，３６ｄを接続する周端面３８ｕ，３８ｄを有し、上ガラス基板１２及び下ガラス基板１４の周端面３８ｕ，３８ｄは、上面３４ｕ，３４ｄよりも下面３６ｕ，３６ｄが外方向に突出することで、斜め上を向くように傾斜する順テーパ端面４０ｕ，４０ｄを含み、順テーパ端面４０ｕ，４０ｄは、粗面である。【選択図】図１
2013068895.tif 000002
【特許請求の範囲】
【請求項１】
液晶を挟むための上ガラス基板及び下ガラス基板を有する液晶表示パネルと、
前記液晶表示パネルに対して前記下ガラス基板側から面状に光を発するバックライトと、
を有し、
前記上ガラス基板及び前記下ガラス基板のそれぞれは、前記バックライトとは反対側を向く上面と、前記バックライトを向く下面と、前記上面及び前記下面を接続する周端面を有し、
前記上ガラス基板及び前記下ガラス基板の少なくとも一方の前記周端面は、前記上面よりも前記下面が外方向に突出することで、斜め上を向くように傾斜する順テーパ端面を含み、
前記順テーパ端面は、粗面であることを特徴とする液晶表示装置。
【請求項２】
請求項１に記載された液晶表示装置において、
前記上ガラス基板及び前記下ガラス基板のそれぞれの前記周端面は、前記順テーパ端面を含むことを特徴とする液晶表示装置。
【請求項３】
請求項１に記載された液晶表示装置において、
前記上ガラス基板及び前記下ガラス基板の一方の前記周端面は、前記順テーパ端面を含み、
前記上ガラス基板及び前記下ガラス基板の他方の前記周端面は、前記上面及び前記下面に直角に接続することを特徴とする液晶表示装置。
【請求項４】
請求項１に記載された液晶表示装置において、
前記上ガラス基板と前記下ガラス基板との間に配置された光反射膜からなる配線をさらに有し、
前記配線は、前記上ガラス基板と前記下ガラス基板の端部を避けて形成され、
前記上ガラス基板の前記周端面は、前記順テーパ端面を含み、
前記下ガラス基板の前記周端面は、前記上面が前記下面よりも外方向に突出することで、斜め下を向くように傾斜する逆テーパ端面を含み、
前記逆テーパ端面は、粗面であることを特徴とする液晶表示装置。
【請求項５】
請求項１に記載された液晶表示装置において、
前記上ガラス基板と前記下ガラス基板との間に配置された光反射膜からなる配線をさらに有し、
前記配線は、前記上ガラス基板と前記下ガラス基板の端部を避けて形成され、
前記上ガラス基板の前記周端面は、前記上面が前記下面よりも外方向に突出することで、斜め下を向くように傾斜する逆テーパ端面を含み、
前記下ガラス基板の前記周端面は、前記順テーパ端面を含むことを特徴とする液晶表示装置。
【請求項６】
液晶を挟むための上ガラス基板及び下ガラス基板を有する液晶表示パネルと、
前記上ガラス基板と前記下ガラス基板との間に配置された光反射膜からなる配線と、
前記液晶表示パネルに対して前記下ガラス基板側から面状に光を発するバックライトと、
を有し、
前記上ガラス基板及び前記下ガラス基板のそれぞれは、前記バックライトとは反対側を向く上面と、前記バックライトを向く下面と、前記上面及び前記下面を接続する周端面を有し、
前記配線は、前記上ガラス基板と前記下ガラス基板の端部を避けて形成され、
前記上ガラス基板の前記周端面は、前記上面が前記下面よりも外方向に突出することで、斜め下を向くように傾斜する逆テーパ端面を含み、
前記下ガラス基板の前記周端面は、前記上面及び前記下面に直角に接続することを特徴とする液晶表示装置。
【発明の詳細な説明】
【技術分野】
【０００１】
本発明は、液晶表示装置に関する。
【背景技術】
【０００２】
バックライトを備えた液晶表示装置は、バックライトの光が液晶表示パネルに入射して明るい画像を表示できるようになっている。バックライトの光の一部は、液晶表示パネルのガラス基板に入射して内部を進行し、ガラス基板の端面で反射して表示面から出射する。そのため、ガラス基板の端部が光って見えるため、表示品位を損なうという問題があった。
【先行技術文献】
【特許文献】
【０００３】
【特許文献１】特開平９‐１５２５８４号公報
【発明の概要】
【発明が解決しようとする課題】
【０００４】
特許文献１には、表示領域の外周とフレームとの間から漏れ出すバックライトの光漏れを無くすために、ガラス基板の端部をフレームで覆うとともに光吸収性の接着剤を塗布し、表示領域の外周とフレームとの間から漏れ出すバックライトの光漏れを無くす方法が開示されている。
【０００５】
しかし、この方法では、フレームと光吸収性の接着剤を有することで液晶表示装置の厚みが増し、薄型化に対して不利である。
【０００６】
本発明は、厚みを増すことなく、表示品位の低下を防止することを目的とする。
【課題を解決するための手段】
【０００７】
（１）本発明に係る液晶表示装置は、液晶を挟むための上ガラス基板及び下ガラス基板を有する液晶表示パネルと、前記液晶表示パネルに対して前記下ガラス基板側から面状に光を発するバックライトと、を有し、前記上ガラス基板及び前記下ガラス基板のそれぞれは、前記バックライトとは反対側を向く上面と、前記バックライトを向く下面と、前記上面及び前記下面を接続する周端面を有し、前記上ガラス基板及び前記下ガラス基板の少なくとも一方の前記周端面は、前記上面よりも前記下面が外方向に突出することで、斜め上を向くように傾斜する順テーパ端面を含み、前記順テーパ端面は、粗面であることを特徴とする。本発明によれば、順テーパ端面によって、下面から入ってくる光を内部で下方向に反射させることができるので、ガラス基板の端部が光って見えることを防止し、厚みを増すことなく、表示品位の低下を防止することができる。また、順テーパ端面が粗面であることから、内部で反射する光を拡散することができるので、順テーパ端面の傾斜角度を緩やかにすることができる。
【０００８】
（２）（１）に記載された液晶表示装置において、前記上ガラス基板及び前記下ガラス基板のそれぞれの前記周端面は、前記順テーパ端面を含むことを特徴としてもよい。
【０００９】
（３）（１）に記載された液晶表示装置において、前記上ガラス基板及び前記下ガラス基板の一方の前記周端面は、前記順テーパ端面を含み、前記上ガラス基板及び前記下ガラス基板の他方の前記周端面は、前記上面及び前記下面に直角に接続することを特徴としてもよい。
【００１０】
（４）（１）に記載された液晶表示装置において、前記上ガラス基板と前記下ガラス基板との間に配置された光反射膜からなる配線をさらに有し、前記配線は、前記上ガラス基板と前記下ガラス基板の端部を避けて形成され、前記上ガラス基板の前記周端面は、前記順テーパ端面を含み、前記下ガラス基板の前記周端面は、前記上面が前記下面よりも外方向に突出することで、斜め下を向くように傾斜する逆テーパ端面を含み、前記逆テーパ端面は、粗面であることを特徴としてもよい。
【００１１】
（５）（１）に記載された液晶表示装置において、前記上ガラス基板と前記下ガラス基板との間に配置された光反射膜からなる配線をさらに有し、前記配線は、前記上ガラス基板と前記下ガラス基板の端部を避けて形成され、前記上ガラス基板の前記周端面は、前記上面が前記下面よりも外方向に突出することで、斜め下を向くように傾斜する逆テーパ端面を含み、前記下ガラス基板の前記周端面は、前記順テーパ端面を含むことを特徴としてもよい。
【００１２】
（６）本発明に係る液晶表示装置は、液晶を挟むための上ガラス基板及び下ガラス基板を有する液晶表示パネルと、前記上ガラス基板と前記下ガラス基板との間に配置された光反射膜からなる配線と、前記液晶表示パネルに対して前記下ガラス基板側から面状に光を発するバックライトと、を有し、前記上ガラス基板及び前記下ガラス基板のそれぞれは、前記バックライトとは反対側を向く上面と、前記バックライトを向く下面と、前記上面及び前記下面を接続する周端面を有し、前記配線は、前記上ガラス基板と前記下ガラス基板の端部を避けて形成され、前記上ガラス基板の前記周端面は、前記上面が前記下面よりも外方向に突出することで、斜め下を向くように傾斜する逆テーパ端面を含み、前記下ガラス基板の前記周端面は、前記上面及び前記下面に直角に接続することを特徴とする。本発明によれば、下ガラス基板に入射した光は、光反射膜からなる配線によって反射されるが、配線が形成されていない端部では上ガラス基板に入射する。上ガラス基板にその端部から入射する光は、下ガラス基板の内部を伝搬してきた光であるため、その入射角度が斜めになった光を含む。この光は上ガラス基板の端部に進むが、上ガラス基板の上面が下面よりも外方向に突出しているので、光は逆テーパ端面には当たらずに上面から出射する。これにより、ガラス基板の端部が光って見えることを防止し、厚みを増すことなく、表示品位の低下を防止することができる。
【図面の簡単な説明】
【００１３】
【図１】本発明の実施形態に係る液晶表示装置を示す断面図である。
【図２】液晶表示パネルの斜視図である。
【図３】液晶表示パネルの端部を示す図である。
【図４】本発明の実施形態に係る液晶表示装置の変形例１の構造及び作用を示す図である。
【図５】本発明の実施形態に係る液晶表示装置の変形例２の構造及び作用を示す図である。
【図６】本発明の実施形態に係る液晶表示装置の変形例３の構造及び作用を示す図である。
【図７】本発明の実施形態に係る液晶表示装置の変形例４の構造及び作用を示す図である。
【図８】本発明の実施形態に係る液晶表示装置の変形例５の構造及び作用を示す図である。
【発明を実施するための形態】
【００１４】
以下、本発明の実施形態について、図面を参照して説明する。図１は、本発明の実施形態に係る液晶表示装置を示す断面図である。液晶表示装置は、液晶表示パネル１０を有する。図２は、液晶表示パネル１０の斜視図である。
【００１５】
液晶表示パネル１０は、上ガラス基板１２及び下ガラス基板１４を有し、両者の間に図示しない液晶が挟まれている。画像が表示される表示領域１６を有する基板が上ガラス基板１２である。下ガラス基板１４は、薄膜トランジスタ、画素電極及び配線などを含むＴＦＴ（Thin Film Transistor）基板（又はアレイ基板）であり、上ガラス基板１２はカラーフィルタ基板である。液晶表示パネル１０の駆動方式は、IPS（In Plane Switching）方式、TN（Twisted Nematic）方式又はVA（Vertical Alignment）方式などいずれの方式であってもよく、方式に応じた電極及び配線が形成される。
【００１６】
下ガラス基板１４には、外部との電気的接続のためにフレキシブル配線基板１８が取り付けてある。フレキシブル配線基板１８は、下ガラス基板１４の外部との接続端子（図示せず）に電気的に接続されている。下ガラス基板１４の接続端子（図示せず）が形成された部位を避けるように、上ガラス基板１２がずれて配置されている。すなわち、上ガラス基板１２が下ガラス基板１４よりも小さくなっている。図１に示すように、上ガラス基板１２及び下ガラス基板１４の相互に反対を向く面にそれぞれ偏光板２０が貼り付けられている。
【００１７】
図１に示すように、液晶表示装置は、バックライト２２を有する。バックライト２２は、液晶表示パネル１０に対して、下ガラス基板１４側に面状に光を発する。図１には、バックライト２２の一部である導光板２４が示されている。導光板２４は、点光源としての発光ダイオード（図示せず）の光を面光源に変換して液晶表示パネル１０に照射するためのものである。バックライト２２の発光面は、偏光板２０の方向に向けられている。液晶表示パネル１０とバックライト２２の間には光学シート２６が配置されている。光学シート２６は、拡散シート及びプリズムシートなどを含む。
【００１８】
液晶表示装置は、内フレーム２８を有する。内フレーム２８は、樹脂のモールド成形品であり、モールドともよばれる。内フレーム２８の内側にバックライト２２が配置されている。詳しくは、内フレーム２８に凹部が形成されており、凹部内にバックライト２２が配置されている。内フレーム２８は、金属からなる外フレーム３０に収容されている。液晶表示パネル１０（例えば偏光板２０）と内フレーム２８とは、遮光両面テープ３２によって固定されている。遮光両面テープ３２は、光を遮断するので、光漏れを防止する機能もある。
【００１９】
図３は、液晶表示パネル１０の端部を示す図である。上ガラス基板１２は、バックライト２２とは反対側を向く上面３４ｕと、バックライト２２を向く下面３６ｕと、上面３４ｕ及び下面３６ｕを接続する周端面３８ｕを有する。上ガラス基板１２の周端面３８ｕは、上面３４ｕよりも下面３６ｕが外方向に突出することで、斜め上を向くように傾斜する順テーパ端面４０ｕを含む。順テーパ端面４０ｕは、斜め上を向いていれば、平坦であっても、凸曲面であっても、凹曲面であってもよい。上ガラス基板１２の表面に沿った方向で順テーパ端面４０ｕの長さＬ１は、上ガラス基板１２の厚みＴ１と同じになっている。
【００２０】
図２に示す例では、上ガラス基板１２の平面形状が矩形であり、その３辺に順テーパ端面４０ｕが形成されている。この場合、上ガラス基板１２の、下ガラス基板１４が突出する側の辺には、順テーパ端面４０ｕではなく、表裏面に直角に接続する端面４０ｖが形成されている。あるいは、変形例として、上ガラス基板１２の周端面３８ｕの全体が順テーパ端面４０ｕであってもよい。
【００２１】
図３に示すように、順テーパ端面４０ｕは粗面である。粗面加工は、サンドブラストによって行うことができる。粗面の粗さは、表面の凹凸の最も低い谷底から最も高い山頂までの最大高さ（Ｒmax）が２０μｍ以上５０μｍ未満になる粗さである。
【００２２】
下ガラス基板１４は、バックライト２２とは反対側を向く上面３４ｄと、バックライト２２を向く下面３６ｄと、上面３４ｄ及び下面３６ｄを接続する周端面３８ｄを有する。下ガラス基板１４の周端面３８ｄは、上面３４ｄよりも下面３６ｄが外方向に突出することで、斜め上を向くように傾斜する順テーパ端面４０ｄを含む。順テーパ端面４０ｄは、斜め上を向いていれば、平坦であっても、凸曲面であっても、凹曲面であってもよい。下ガラス基板１４の表面に沿った方向で順テーパ端面４０ｄの長さＬ２は、下ガラス基板１４の厚みＴ２と同じになっている。
【００２３】
図２に示す例では、下ガラス基板１４の平面形状が矩形であり、その３辺に順テーパ端面４０ｄが形成されている。この場合、下ガラス基板１４の、上ガラス基板１２からずれて突出する部位の先端面は、順テーパ端面４０ｄではなく、表裏面に直角に接続する端面４０ｖである。あるいは、変形例として、下ガラス基板１４の周端面３８ｄの全体が順テーパ端面４０ｄであってもよい。
【００２４】
順テーパ端面４０ｄは、粗面である。粗面加工は、サンドブラストによって行うことができる。粗面の粗さは、表面の凹凸の最も低い谷底から最も高い山頂までの最大高さ（Ｒmax）が２０μｍ以上５０μｍ未満になる粗さである。
【００２５】
本実施形態によれば、図３に示すように、順テーパ端面４０ｕ及び順テーパ端面４０ｄによって、下面３６ｕ及び下面３６ｄから入ってくる光を内部で下方向に反射させることができるので、下ガラス基板１４の端部が光って見えることを防止し、厚みを増すことなく、表示品位の低下を防止することができる。また、順テーパ端面４０ｕ及び順テーパ端面４０ｄが粗面であることによって内部で反射する光が拡散するので、下ガラス基板１４の端部の輝度は低下する。そのため、順テーパ端面４０ｕ及び順テーパ端面４０ｄの傾斜角度が緩やかであっても、下ガラス基板１４の端部の輝度は低くなる。
【００２６】
図４は、本発明の実施形態に係る液晶表示装置の変形例１を示す図である。この例では、上ガラス基板１１２の周端面１３８ｕは順テーパ端面１４０を含むが、下ガラス基板１１４の周端面１３８ｄは、上面１３４ｄ及び下面１３６ｄに直角に接続する。この例であっても、上ガラス基板１１２の下面１３６ｕから入ってくる光をその順テーパ端面１４０で下方向に反射させることができる。
【００２７】
図５は、本発明の実施形態に係る液晶表示装置の変形例２を示す図である。この例では、下ガラス基板２１４の周端面２３８ｄは順テーパ端面２４０を含むが、上ガラス基板２１２の周端面２３８ｕは、上面２３４ｕ及び下面２３６ｕに直角に接続する。この例であっても、下ガラス基板２１４の下面２３６ｄから入ってくる光をその順テーパ端面２４０で下方向に反射させることができる。
【００２８】
図６は、本発明の実施形態に係る液晶表示装置の変形例３を示す図である。この例では、上ガラス基板３１２と下ガラス基板３１４との間には、配線３４２が配置されている。配線３４２は、光反射膜からなる。配線３４２は、上ガラス基板３１２と下ガラス基板３１４の端部を避けて形成されている。また、上ガラス基板３１２と下ガラス基板３１４との間には、液晶３４４が介在している。詳しくは、配線３４２が下ガラス基板３１４に形成され、配線３４２と上ガラス基板３１２との間に液晶３４４が介在する。液晶３４４はシール材３４６によって封止されている。
【００２９】
上ガラス基板３１２の周端面３３８ｕは、順テーパ端面３４０を含む。順テーパ端面３４０の他の詳細は上述した通りである。これに対して、下ガラス基板３１４の周端面３３８ｄは、上面３３４ｄが下面３３６ｄよりも外方向に突出することで、斜め下を向くように傾斜する逆テーパ端面３４８を含む。逆テーパ端面３４８は、斜め下を向いていれば、平坦であっても、凸曲面であっても、凹曲面であってもよい。下ガラス基板３１４の表面に沿った方向で逆テーパ端面３４８の長さＬ３は、下ガラス基板３１４の厚みＴ３と同じになっている。
【００３０】
逆テーパ端面３４８は、粗面である。逆テーパ端面３４８については、向いている方向が逆である点を除き、順テーパ端面３４０の内容が該当する。
【００３１】
この変形例によれば、下ガラス基板３１４に入射した光は、光反射膜からなる配線３４２によって反射されるが、配線３４２が形成されていない端部では上ガラス基板３１２に入射する。上ガラス基板３１２にその端部から入射する光は、下ガラス基板３１４の内部を伝搬してきた光である。例えば、その光は、下ガラス基板３１４の逆テーパ端面３４８で反射して、上ガラス基板３１２に入射する。そして、上ガラス基板３１２の順テーパ端面３４０で光は反射するが、順テーパ端面３４０の傾斜によって、光は、そのまま外に放出されずに、上ガラス基板３１２の内部を進行する。これにより、上ガラス基板３１２の端部が光って見えることを防止し、厚みを増すことなく、表示品位の低下を防止することができる。また、順テーパ端面３４０及び逆テーパ端面３４８がそれぞれ粗面であることから、内部で反射する光を拡散することができるので、これらの傾斜角度を緩やかにすることができる。
【００３２】
図７は、本発明の実施形態に係る液晶表示装置の変形例４を示す図である。この例では、上ガラス基板４１２と下ガラス基板４１４との間には、配線４４２が配置されている。配線４４２は、光反射膜からなる。配線４４２は、上ガラス基板４１２と下ガラス基板４１４の端部を避けて形成されている。また、上ガラス基板４１２と下ガラス基板４１４との間には、液晶４４４が介在している。詳しくは、配線４４２が下ガラス基板４１４に形成され、配線４４２と上ガラス基板４１２との間に液晶４４４が介在する。液晶４４４はシール材４４６によって封止されている。
【００３３】
下ガラス基板４１４の周端面４３８ｄは、順テーパ端面４４０を含む。順テーパ端面４４０の他の詳細は上述した通りである。これに対して、上ガラス基板４１２の周端面４３８ｕは、上面４３４ｕが下面４３６ｕよりも外方向に突出することで、斜め下を向くように傾斜する逆テーパ端面４４８を含む。逆テーパ端面４４８については、向いている方向が逆である点を除き、上述した順テーパ端面４０ｕ（図３参照）の内容を適用してもよい。
【００３４】
この変形例によれば、下ガラス基板４１４に入射した光は、光反射膜からなる配線４４２によって反射されるが、配線４４２が形成されていない端部では上ガラス基板４１２に入射する。上ガラス基板４１２にその端部から入射する光は、下ガラス基板４１４の内部を伝搬してきた光であるため、その入射角度が斜めになった光を含む。この光は上ガラス基板４１２の端部に進むが、上ガラス基板４１２の上面４３４ｕが下面４３６ｕよりも外方向に突出しているので、光は逆テーパ端面４４８には当たらずに上面４３４ｕから出射する。これにより、上ガラス基板４１２の端部が光って見えることを防止し、厚みを増すことなく、表示品位の低下を防止することができる。なお、下ガラス基板４１４の順テーパ端面４４０の効果については、上記実施形態で説明した通りである。
【００３５】
図８は、本発明の実施形態に係る液晶表示装置の変形例５を示す図である。この例では、上ガラス基板５１２と下ガラス基板５１４との間には、配線５４２が配置されている。配線５４２は、光反射膜からなる。配線５４２は、上ガラス基板５１２と下ガラス基板５１４の端部を避けて形成されている。また、上ガラス基板５１２と下ガラス基板５１４との間には、液晶５４４が介在している。詳しくは、配線５４２が下ガラス基板５１４に形成され、配線５４２と上ガラス基板５１２との間に液晶５４４が介在する。液晶５４４はシール材５４６によって封止されている。
【００３６】
上ガラス基板５１２の周端面５３８ｕは、上面５３４ｕが下面５３６ｕよりも外方向に突出することで、斜め下を向くように傾斜する逆テーパ端面５４８を含む。逆テーパ端面５４８については、向いている方向が逆である点を除き、上述した順テーパ端面４０ｕ（図３参照）の内容を適用してもよい。これに対して、下ガラス基板５１４の周端面５３８ｄは、上面５３４ｄ及び下面５３６ｄに直角に接続している。
【００３７】
この変形例によれば、下ガラス基板５１４に入射した光は、光反射膜からなる配線５４２によって反射されるが、配線５４２が形成されていない端部では上ガラス基板５１２に入射する。上ガラス基板５１２にその端部から入射する光は、下ガラス基板５１４の内部を伝搬してきた光であるため、その入射角度が斜めになった光を含む。この光は上ガラス基板５１２の端部に進むが、上ガラス基板５１２の上面５３４ｕが下面５３６ｕよりも外方向に突出しているので、光は逆テーパ端面５４８には当たらずに上面５３４ｕから出射する。これにより、上ガラス基板５１２の端部が光って見えることを防止し、厚みを増すことなく、表示品位の低下を防止することができる。
【００３８】
携帯機器に用いる表示装置は、矩形の表示部の一辺に沿って光源を配置することで、小型化できる。また、光源は対向する辺に向けて光を照射する。本発明は、光源であるＬＥＤを配置した辺と対向する辺を傾斜面又は粗面にすることで、光漏れを効率的に防止できる。例えば、図２に示すように、液晶表示パネルは外部からデータ取り込むためにフレキシブル配線基板１８が接続されている。このフレキシブル配線基板１８を使って光源に電力を供給することで液晶モジュールの部品数を減らすことができる。また、光源であるＬＥＤをフレキシブル配線基板１８が接続された辺に沿って配置することでフレキシブル配線基板１８を短くできる。この場合、本発明をフレキシブル配線基板１８が接続された辺と対向する辺に適用すると光漏れを効率的に防止できる。
【００３９】
本発明は、上述した実施の形態に限定されるものではなく種々の変形が可能である。例えば、実施の形態で説明した構成は、実質的に同一の構成、同一の作用効果を奏する構成又は同一の目的を達成することができる構成で置き換えることができる。
【符号の説明】
【００４０】
１０  液晶表示パネル、１２  上ガラス基板、１４  下ガラス基板、１６  表示領域、１８  フレキシブル配線基板、２０  偏光板、２２  バックライト、２４  導光板、２６  光学シート、２８  内フレーム、３０  外フレーム、３２  遮光両面テープ、３４ｄ  上面、３４ｕ  上面、３６ｄ  下面、３６ｕ  下面、３８ｄ  周端面、３８ｕ  周端面、４０ｄ  順テーパ端面、４０ｕ  順テーパ端面、４０ｖ  端面、１１２  上ガラス基板、１３４  上面、１３６  下面、１３８  周端面、１３８ｕ  周端面、１４０  順テーパ端面、１４０  順テーパ端面、２１２  上ガラス基板、２１４  下ガラス基板、２３４ｄ  上面、２３６ｄ  下面、２３６ｄ  下面、２３８ｄ  周端面、２３８ｕ  周端面、２４０  順テーパ端面、３１２  上ガラス基板、３１４  下ガラス基板、３３４ｄ  上面、３３６ｄ  下面、３３８ｄ  周端面、３３８ｕ  周端面、３４０  順テーパ端面、３４２  配線、３４４  液晶、３４６  シール材、３４８  逆テーパ端面、４１２  上ガラス基板、４１４  下ガラス基板、４３４ｕ  上面、４３６ｕ  下面、４３８ｄ  周端面、４３８ｕ  周端面、４４０  順テーパ端面、４４２  配線、４４４  液晶、４４６  シール材、４４８  逆テーパ端面、５１２  上ガラス基板、５１４  下ガラス基板、５３４ｄ  上面、５３４ｕ  上面、５３６ｄ  下面、５３６ｕ  下面、５３８ｄ  周端面、５３８ｕ  周端面、５４２  配線、５４４  液晶、５４６  シール材、５４８  逆テーパ端面。
【図１】
2013068895.tif 000003
【図２】
2013068895.tif 000004
【図３】
2013068895.tif 000005
【図４】
2013068895.tif 000006
【図５】
2013068895.tif 000007
【図６】
2013068895.tif 000008
【図７】
2013068895.tif 000009
【図８】
2013068895.tif 000010